(57)【要約】【課題】取付部材全体をタンク部の被取付部に着脱可能に構成しつつ部品点数を低減でき、しかも取付部材の取付作業性、取付強度を向上できる熱交換器を提供する。【解決手段】タンク部に設けられた被取付部に取付部材が着脱可能に取り付けられる熱交換器において、前記取付部材を略Ｌ字状に形成し該取付部材の内側に突起を一体に設けるとともに、前記被取付部に取付部材の突起が挿脱可能に挿入される穴部と、取付部材が着脱可能に係合される係合部を設けたことを特徴とする熱交換器。【選択図】図４
2007139359.tif 000002
【特許請求の範囲】
【請求項１】
タンク部に設けられた被取付部に取付部材が着脱可能に取り付けられる熱交換器において、前記取付部材を略Ｌ字状に形成し該取付部材の内側に突起を一体に設けるとともに、前記被取付部に取付部材の突起が挿脱可能に挿入される穴部と、取付部材が着脱可能に係合される係合部を設けたことを特徴とする熱交換器。
【請求項２】
前記突起の表面に穴の内面に当接し弾性変形可能な鍔部が形成されている、請求項１の熱交換器。
【請求項３】
前記穴の内面に突起の表面に当接し弾性変形可能な鍔部が形成されている、請求項１または２の熱交換器。
【請求項４】
前記鍔部が突起の軸方向に複数配設されている、請求項２または３の熱交換器。
【請求項５】
前記係合部が、被取付部の両端に形成され取付部材の側部が係合される溝部からなる、請求項１ないし４のいずれかに記載の熱交換器。
【請求項６】
前記溝部が断面略コ字状に形成されている、請求項５の熱交換器。
【請求項７】
前記係合部が、被取付部の両端に形成され取付部材の側部が当接される壁部からなる、請求項１ないし４のいずれかに記載の熱交換器。
【請求項８】
前記壁部の頂部が互いに連結部材により連結されている、請求項７の熱交換器。
【請求項９】
前記被取付部および／または取付部材が樹脂からなる、請求項１ないし８のいずれかに記載の熱交換器。
【請求項１０】
前記被取付部がタンク部に複数設けられている、請求項１ないし９のいずれかに記載の熱交換器。
【請求項１１】
前記取付部材が、外部配管を支持する外部配管支持部材からなる、請求項１ないし１０のいずれかに記載の熱交換器。
【請求項１２】
前記熱交換器がインタークーラからなる、請求項１ないし１１のいずれかに記載の熱交換器。
【発明の詳細な説明】
【技術分野】
【０００１】
本発明は、タンク部に外部配管支持部材等の取付部材が取り付けられる被取付部が設けられた熱交換器に関し、とくに車両用熱交換器なかでもとくにインタークーラに好適な熱交換器に関する。
【背景技術】
【０００２】
従来、熱交換器のタンク部に設けられた被取付部への取付部材の取付構造としては、たとえば図１０ないし図１２に示すような構造が知られている。図１０において、１００は熱交換器のタンク部を示している。タンク部１００には、取付部材としての外部配管支持部材１０１が取り付けられる被取付部１０２が設けられている。被取付部１０２には、図１１に示すように内部にねじ溝が刻設されたインサート部材１０３が一体的に設けられている。
【０００３】
外部配管支持部材１０１は、図１２に示すように略Ｌ字状に形成されており、外部配管（図示略）を支持する支持部１０４が一体に設けられている。上記のような取付構造においては、インサート部材１０３にボルト１０５を螺合することにより、被取付部１０２に外部配管支持部材１０１が着脱可能に取り付けられるようになっている。なお、上記と略同様の取付構造は特許文献１等において開示されている。
【０００４】
ところで、熱交換器がインタークーラ等である場合には、タンク部１００には高耐熱性、高耐圧性が要求されるので、タンク部材１００は金属（たとえば、アルミニウム、アルミニウム合金等）、樹脂（たとえば、脂肪族ポリアミド等）、樹脂と無機材料（たとえば、グラスファイバー等）の複合材料等、比較的柔軟性の低い材料で成形されている。一方、取付部材としての外部配管支持部材１０１には柔軟性が要求される。したがって、外部配管支持部材１０１、被取付部１０２にはそれぞれ異なる特性が要求されるので、両者を同一材料で一体に成形することは困難である。このため、取付部材としての外部配管支持部材１０１、被取付部１０２を別々に構成し、上述のようにボルト１０５を介して取り付けるのが一般的である。
【０００５】
しかし、上述のようなインサート部材１０３にボルト１０５を螺合することにより、被取付部１０２に外部配管支持部材１０１を取り付ける方法においては、部品点数、組付け工数が増加しコストアップを招くおそれがある。また、被取付部１０２に外部配管支持部材１０１をボルト１０５を用いて取り付けるだけでは、十分な取付強度が確保できず車両の走行に伴う振動により騒音が発生するおそれもある。
【特許文献１】特開平５−２１５４８３号公報（第４図等）
【発明の開示】
【発明が解決しようとする課題】
【０００６】
そこで本発明の課題は、従来のボルトを廃止し、取付部材全体を被取付部に着脱可能に構成するとともに部品点数を低減でき、しかも取付部材の取付作業性、取付強度を向上できる熱交換器を提供することにある。
【課題を解決するための手段】
【０００７】
上記課題を解決するために、本発明に係る熱交換器は、タンク部に設けられた被取付部に取付部材が着脱可能に取り付けられる熱交換器において、前記取付部材を略Ｌ字状に形成し該取付部材の内側に突起を一体に設けるとともに、前記被取付部に取付部材の突起が挿脱可能に挿入される穴部と、取付部材が着脱可能に係合される係合部を設けたことを特徴とするものからなる。このような構成においては、取付部材が被取付部に取り付けられた状態においては、前記穴部へ突起が挿入されるとともに、取付部材が係合部に係合されている。したがって、ボルトのみにより取付部材を取り付ける従来の取付方法に比べ取付強度を大幅に向上できる。また、前記突起は穴部に対し挿脱可能に挿入されるとともに、たとえば取付部材の両側部が被取付部に着脱可能に係合されるので、被取付部に対し取付部材全体を着脱可能に構成できる。また、突起は取付部材に一体に設けられるので、従来のボルトは廃止することができ部品点数を低減できる。さらに、煩雑なボルトの着脱作業を廃止することができるので、被取付部に対する取付部材全体の着脱作業性を向上できる。
【０００８】
上記突起の表面には穴部の内面に当接し弾性変形可能な鍔部が形成されることが好ましい。また、上記穴部の内面には突起の表面に当接し弾性変形可能な鍔部が形成されることが好ましい。このような鍔部を形成すれば、穴部に対し突起を挿脱可能に構成できる。また、穴部に対する突起の挿入強度を向上するためには、鍔部は突起または穴部の周方向に延設されるものであることが好ましい。また、鍔部を突起の軸方向または穴部の深さ方向に複数配設すれば上記挿入強度を一層向上できる。
【０００９】
上記係合部は、たとえば被取付部の両端に形成され取付部材の側部が係合可能な溝部から構成できる。該溝部は、たとえば断面コ字状、Ｖ字状等に形成することができる。また、上記係合部は、被取付部の両端に形成され取付部材の側部が当接する壁部から構成できる。上記壁部の頂部は連結部材で互いに連結することも可能である。
【００１０】
上記被取付部はタンク部に一体に設けることが可能であり、樹脂から構成できる。また、取付部材も樹脂から構成できる。また、上記被取付部はタンク部に複数設けることも可能である。
【００１１】
上記取付部材は、とくに限定されるものではないが、たとえば外部配管を支持する外部配管支持部材を挙げることができる。
【００１２】
本発明に係る熱交換器は、とくに限定されるものではないが、車両用熱交換器中でもとくにインタークーラに用いて好適である。
【発明の効果】
【００１３】
上記のような本発明に係る熱交換器によれば、従来のボルトを廃止し取付部材全体を被取付部に着脱可能に構成することができ、部品点数を低減しつつ取付部材の取付作業性、取付強度を向上できる。
【発明を実施するための最良の形態】
【００１４】
以下に、本発明に係る熱交換器の望ましい実施の形態を図面を参照して説明する。図１は、本発明の第１実施態様に係る熱交換器を示している。図１において、１は熱交換器としてのインタークーラのタンク部を示している。タンク部１には、過給気の導入（導出）部２と後述の取付部材が取り付けられる被取付部３が設けられている。被取付部３には、図２に示すように穴部４が設けられている。また、被取付部３の両端には取付部材の側部が当接可能な壁部５、６が設けられている。本実施態様においては、壁部５、６により係合部１１が構成されている。
【００１５】
被取付部３には、取付部材としての外部配管支持部材７が着脱可能に取り付けられている。外部配管支持部材７は、図３に示すように長壁７ａと短壁７ｂが略直角につながった略Ｌ字状に形成されており、短壁７ｂの内側には穴部４に挿脱可能な突起８が設けられている。突起８には、穴部４の内面に当接し弾性変形可能な鍔部９が設けられている。鍔部９は、突起８の周方向に延びており、突起８の軸方向に複数設けられている。なお、本実施態様においては、突起８の表面にのみ鍔部９が形成されているが、図５に示すように穴部４の内面に鍔部１２を設けてもよい。穴部４の内面に鍔部１２を設ける態様においては、突起８の表面の鍔部９は省略することも可能である。
【００１６】
また、外部配管支持部材７の長壁７ａの外側には、外部配管（図示略）を支持する支持部１０が設けられている。
【００１７】
本実施態様においては、被取付部３に外部配管支持部材７を取り付ける際には、外部配管支持部材７の長壁７ａの両端を壁部５、６に当接させて、突起８を穴部４に挿入すると、突起８の表面に設けられた鍔部９が穴部４の内面に当接し弾性変形されながら突起８が外部配管支持部材７の内側に侵入する。そして、外部配管支持部材７の短壁７ｂが被取付部３に当接され、外部配管支持部材７が被取付部３に取り付けられ確実に固定される（図３、図４）。この状態においては、突起８に設けられた鍔部９が穴部４の内面に当接され弾性変形されている。また、外部配管支持部材７の長壁７ａの両端は壁部５、６に当接されている。したがって、図４のＡ方向、Ｂ方向への外部配管支持部材７の振動が確実に防止され、従来に比べ取付強度を大幅に向上できる。
【００１８】
また、突起８は穴部４に対し挿脱可能に挿入されるとともに、外部配管支持部材７の長壁７ａの両側部が被取付部３に着脱可能に係合されているので、被取付部３に対し外部配管支持部材７全体を着脱可能に構成できる。また、突起８は外部配管支持部材７に一体に設けられるので、従来のボルトは廃止することができ部品点数を低減できる。さらに、煩雑なボルトの着脱作業を廃止することができるので、被取付部３に対する外部配管支持部材７の着脱作業性を向上できる。
【００１９】
図６、図７は、本発明の第２実施態様に係るインタークーラのタンク部の被取付部１３を示している。なお、上記第１実施態様と同一の部材には同一の番号を付しその説明を省略する。本実施態様においては、被取付部１３の係合部１１を構成する壁部５、６の頂部は連結部材１４により互いに連結されている。
【００２０】
このような態様においても、上記第１実施態様の作用に準じ、従来のボルトを廃止しつつ外部配管支持部材７全体を被取付部１３に着脱可能に構成できるとともに部品点数を低減でき、しかも外部配管支持部材７の取付作業性、取付強度を向上できる。また、本実施態様においては、被取付部１３の係合部１１を構成する壁部５、６の頂部は連結部材１４により互いに連結されているので、壁部５、６の強度を向上でき、図４のＢ方向への外部配管支持部材７の振動を一層確実に防止できる。
【００２１】
図８、図９は、本発明の第３実施態様に係るインタークーラのタンク部の被取付部１５を示している。なお、上記第１、第２実施態様と同一の部材には同一の番号を付しその説明を省略する。本実施態様においては、被取付部１５の両端には略コ字状の溝１６が形成されており、該溝１６に外部配管支持部材７の両端が係合されるようになっている。本実施態様においては、溝１６により係合部１７が構成されている。
【００２２】
このような態様においても、上記第１実施態様の作用に準じ、従来のボルトを廃止しつつ外部配管支持部材７全体を被取付部１５に着脱可能に構成できるとともに部品点数を低減でき、しかも外部配管支持部材７の取付作業性、取付強度を向上できる。
【産業上の利用可能性】
【００２３】
本発明は、タンク部に外部配管支持部材等の取付部材が取り付けられる被取付部が設けられる熱交換器、とくに車両用熱交換器なかでもとくにインタークーラに好適である。
【図面の簡単な説明】
【００２４】
【図１】本発明の第１実施態様に係る熱交換器としてのインタークーラのタンク部の斜視図である。
【図２】図１のタンク部の被取付部の拡大斜視図である。
【図３】図２の被取付部に取付部材を取り付けた状態の断面図である。
【図４】図２の被取付部に取付部材を取り付けた状態の斜視図である。
【図５】図１のタンク部の被取付部とは別の態様の被取付部の部分拡大断面図である。
【図６】本発明の第２実施態様に係る熱交換器としてのインタークーラのタンク部の被取付部の拡大斜視図である。
【図７】図６の被取付部に取付部材が取り付けられた状態を示す断面図である
【図８】本発明の第３実施態様に係る熱交換器としてのインタークーラのタンク部の被取付部の拡大斜視図である。
【図９】図８の被取付部に取付部材が取り付けられた状態を示す断面図である
【図１０】従来の熱交換器のタンク部の斜視図である。
【図１１】図８のタンク部の被取付部の拡大斜視図である。
【図１２】図８のタンク部の被取付部に取付部材が取り付けられた状態を示す断面図である。
【符号の説明】
【００２５】
１  熱交換器としてのインタークーラのタンク部
２  過給気の導入（導出）部
３、１３、１５  被取付部
４  穴部
５、６  壁部
７  外部配管支持部材
７ａ  長壁
７ｂ  短壁
８  突起
９、１２  鍔部
１０  支持部
１１、１７  係合部
１４  連結部材
１６  溝
【図１】
2007139359.tif 000003
【図２】
2007139359.tif 000004
【図３】
2007139359.tif 000005
【図４】
2007139359.tif 000006
【図５】
2007139359.tif 000007
【図６】
2007139359.tif 000008
【図７】
2007139359.tif 000009
【図８】
2007139359.tif 000010
【図９】
2007139359.tif 000011
【図１０】
2007139359.tif 000012
【図１１】
2007139359.tif 000013
【図１２】
2007139359.tif 000014